(57)【特許請求の範囲】
【請求項１】
筒状体である複数の冷温媒配管により、冷温媒が流れる流路を形成する冷温媒経路と、
所定の方向に突出した複数の凸部が形成され、前記凸部の少なくとも一部は、その内側に前記冷温媒配管が配置されたフィン部と、
前記所定の方向において前記凸部より外側に配置され、前記冷温媒配管の下部を覆うと共に、複数のルーバー片を鉛直方向に沿って配置したルーバー部と、
前記フィン部の上部側に配置され、前記凸部の配列方向において前記フィン部の長さよりも長く形成され、同フィン部の上部と接続された第１の桟部材と、
前記フィン部の下部側に配置され、前記凸部の配列方向において前記フィン部の長さよりも長く形成され、同フィン部の下部と接続された第２の桟部材と、
前記凸部の配列方向において前記フィン部の両端の外側に配置され、前記第１の桟部材及び前記第２の桟部材のそれぞれと接続されると共に、床面に立設され前記フィン部を支持する縦枠本体と、
前記フィン部の下方、かつ、前記ルーバー部の前記所定の方向とは反対側であり、鉛直方向における最下部に設けられた前記ルーバー片よりも上方、かつ、鉛直方向において直近の高さにある前記ルーバー片に当接して配置されると共に、上部が開口した部分箱状に形成され、結露水を回収し、当接した前記ルーバー片とは反対側に冷気を流すように構成された結露受け部とを備える
放射パネル。
【請求項２】
前記ルーバー部は、少なくとも３つのルーバー片を有し、
前記結露受け部は、鉛直方向における最下部から２段目の前記ルーバー片に当接して配置された
請求項１に記載の放射パネル。
【請求項３】
前記フィン部の前記所定の方向とは反対側に設けられると共に、所定の壁面に当接して、又は、その近傍に配置されたフィン背面断熱部を備える
請求項１又は請求項２に記載の放射パネル。
【請求項４】
鉛直方向において前記第１の桟部材よりも上方に設けられ、前記凸部の配列方向において前記フィン部の長さよりも長く形成され、前記所定の壁面の一部を覆う上部背面カバーと、
鉛直方向において前記第２の桟部材よりも下方に設けられ、前記凸部の配列方向において前記フィン部の長さよりも長く形成され、前記所定の壁面の一部を覆う下部背面断熱部とを備える
請求項３に記載の放射パネル。
【請求項５】
前記ルーバー片は、前記凸部の配列方向において所定の長さを有するルーバー本体と、前記ルーバー本体の上端に連設され前記所定の方向と反対方向に傾斜した第１の傾斜片と、前記ルーバー本体の下端に連設され前記所定の方向と反対方向に傾斜し、その先端が前記第１の傾斜片の先端よりも前記所定の方向と反対方向に位置する第２の傾斜片とを有する
請求項１、請求項２、請求項３又は請求項４に記載の放射パネル。
【請求項６】
前記凸部の配列方向において、前記フィン部と前記縦枠本体との間に設けられると共に、前記所定の方向に突出した第１のダミー凸部が形成され、前記フィン部の端部との間に隙間を有して配置された第１のダミーフィン部を備える
請求項１、請求項２、請求項３、請求項４又は請求項５に記載の放射パネル。
【請求項７】
前記凸部の配列方向において、前記フィン部と前記縦枠本体との間に設けられると共に、前記所定の方向に突出した第２のダミー凸部が形成され、前記フィン部の端部と当接して配置された第２のダミーフィン部と、
前記凸部の配列方向において、前記第２のダミーフィン部と前記縦枠本体との間に設けられると共に、前記所定の方向に突出した第３のダミー凸部が形成され、前記第２のダミーフィン部の端部との間に隙間を有して配置された第３のダミーフィン部を備える
請求項１、請求項２、請求項３、請求項４、請求項５又は請求項６に記載の放射パネル。
【請求項８】
前記縦枠本体に、同縦枠本体の前記所定の方向側から取り付けられ、同縦枠本体を覆う縦枠カバー部と、
前記縦枠本体と前記縦枠カバー部の間に配置された縦枠断熱部とを備える
請求項１、請求項２、請求項３、請求項４、請求項５、請求項６又は請求項７に記載の放射パネル。
【請求項９】
前記結露受け部及び前記縦枠カバー部の下方、かつ、床面に配置される共に、上部が開口した部分箱状に形成され、結露水を回収する水受け部を備え、
前記縦枠カバー部は、前記凸部の配列方向における端面の下端の少なくとも一部に切込みが形成された
請求項８に記載の放射パネル。
【請求項１０】
前記凸部の内周面には、配管受け部が形成され、
前記冷温媒配管は、前記配管受け部と、同冷温媒配管の外周面の一部に嵌合可能な配管押さえ部との間に、接着剤を介して圧着された
請求項１、請求項２、請求項３、請求項４、請求項５、請求項６、請求項７、請求項８又は請求項９に記載の放射パネル。
【請求項１１】
筒状体である複数の冷温媒配管により、冷温媒が流れる流路を形成する冷温媒経路と、
所定の方向に突出した複数の凸部が形成され、前記凸部の少なくとも一部は、その内側に前記冷温媒配管が配置されたフィン部と、
前記所定の方向において前記凸部より外側に配置され、前記冷温媒配管の下部を覆うと共に、前記凸部の配列方向において所定の長さを有するルーバー本体と、前記ルーバー本体の上端に連設され前記所定の方向と反対方向に傾斜した第１の傾斜片と、前記ルーバー本体の下端に連設され前記所定の方向と反対方向に傾斜し、その先端が前記第１の傾斜片の先端よりも前記所定の方向と反対方向に位置する第２の傾斜片とを含むルーバー片を、鉛直方向に沿って複数配置したルーバー部と、
前記フィン部の上部側に配置され、前記凸部の配列方向において前記フィン部の長さよりも長く形成され、同フィン部の上部と接続された第１の桟部材と、
前記フィン部の下部側に配置され、前記凸部の配列方向において前記フィン部の長さよりも長く形成され、同フィン部の下部と接続された第２の桟部材と、
前記凸部の配列方向において前記フィン部の両端の外側に配置され、前記第１の桟部材及び前記第２の桟部材のそれぞれと接続されると共に、床面に立設され前記フィン部を支持する縦枠本体と、
前記フィン部の下方、かつ、前記ルーバー部の前記所定の方向とは反対側に配置される共に、上部が開口した部分箱状に形成され、結露水を回収する結露受け部とを備える
放射パネル。
【請求項１２】
前記結露受け部は、鉛直方向における最下部に設けられた前記ルーバー片よりも上方、かつ、鉛直方向において直近の高さにある前記ルーバー片に当接して配置されると共に、当接した前記ルーバー片とは反対側に冷気を流す
請求項１１に記載の放射パネル。
【発明の詳細な説明】
【技術分野】
【０００１】
本発明は放射パネルに関する。詳しくは、放射冷暖空調に用いる放射パネルにつき、冷暖効果に優れ、放熱部以外での結露が生じにくく、かつ、発生した結露水を充分に処理可能な放射パネルに関するものである。
【背景技術】
【０００２】
室内等の空調設備として、放射冷暖空調が用いられている。この放射冷暖空調は放射熱交換により空気を冷暖するため、冷気又は暖気をファンにより強制的に循環させる対流空調に比べて、室内設定温度を緩和して省エネルギー化でき、温度の偏りやほこりが生じにくく、送風音が抑制できる利点を有している。【０００３】
この放射冷暖空調では、放射パネルの内部に設けた配管経路に、熱媒体となる冷温水を循環させ、放射パネルを冷却又は加熱する。そして、放射パネルと人体との間で直接的に放射熱交換を行うことで、室内空間の冷暖房を行う。また、放射パネルでは、空気を介した対流放熱によっても空気を冷暖する。【０００４】
また、放射冷暖空調の放射パネルは、室内の天井面や壁面に設置するタイプや、床面上に立設する縦型タイプが存在する。さらに、放射パネルは、表面側と裏面側の両方に、空気と接して放熱部となるフィンが設けられた両面タイプの構造と、表面側のみにフィンが設けられた片面タイプの構造が存在する。【０００５】
ここで、例えば、天井面に設置するタイプの放射パネルとして、特許文献１に記載の天井放射型空調システムが提案されている。
【先行技術文献】
【特許文献】
【０００６】
【特許文献１】特開２０１９−４５０１０号公報
【発明の概要】
【発明が解決しようとする課題】
【０００７】
しかしながら、従来の放射冷暖空調の放射パネルには、以下のような問題があった。【０００８】
まず、特許文献１に記載された天井放射型空調システムの放射パネルでは、天井面に設置されるため、冷房時に結露が発生すると、天井側から下方の室内空間や床面に水滴（結露水）が落ちる問題があった。【０００９】
また、天井面に設置するタイプに限らず、従来の放射パネルでは、発生した結露水を周囲の環境に飛散させることなく、所定の結露受けに集めやすくする構造が求められている。【００１０】
ここで、例えば、従来の放射パネルでは、配管経路が外部から視認しにくくするために設けたルーバー、特に、放射パネルの下部側に設けたルーバーの端部等で結露が発生しやすく、これに伴って生じる結露水を、充分に回収するための工夫が不充分であった。【００１１】
また、従来の放射パネルでは、放射パネルの内部、例えば、枠体の内側等で生じる結露水についても、充分な担保がなされていなかった。【００１２】
さらに、放射パネルのうち、両面タイプの放射パネルは、室内空間等に設置する際に、室内の壁面との間に一定の距離を設けて設置する必要があった。そのため、壁面側に放射パネルを寄せて設置することができず、放射パネルの設置のために、広いスペースを確保しなければならなかった。【００１３】
また、一方で、片面タイプの放射パネルは、両面タイプと比較して、室内の壁面にある程度近づけて設置することができる。しかしながら、片面タイプの放射パネルについて、その背面を、室内の壁面にぴったりと付けて配置した場合、放射パネルから壁面に冷気が伝わり、壁面との間に結露が生じやすくなる問題があった。【００１４】
そのため、片面タイプの放射パネルであっても、室内の壁面との間に、一定の距離を設けて設置する必要があった。よって、放射パネルを設置するスペースをより小さなものにしつつ、結露水への対応が充分な構造にすることが望まれている。【００１５】
本発明は、以上の点に鑑みて創案されたものであり、放射冷暖空調に用いる放射パネルにつき、冷暖効果に優れ、結露が生じにくく、かつ、発生した結露水を充分に処理可能な放射パネルを提供することを目的とする。
【課題を解決するための手段】
【００１６】
上記の目的を達成するために、本発明の放射パネルは、筒状体である複数の冷温媒配管により、冷温媒が流れる流路を形成する冷温媒経路と、所定の方向に突出した複数の凸部が形成され、前記凸部の少なくとも一部は、その内側に前記冷温媒配管が配置されたフィン部と、前記所定の方向において前記凸部より外側に配置され、前記冷温媒配管の下部を覆うと共に、複数のルーバー片を鉛直方向に沿って配置したルーバー部と、前記フィン部の上部側に配置され、前記凸部の配列方向において前記フィン部の長さよりも長く形成され、同フィン部の上部と接続された第１の桟部材と、前記フィン部の下部側に配置され、前記凸部の配列方向において前記フィン部の長さよりも長く形成され、同フィン部の下部と接続された第２の桟部材と、前記凸部の配列方向において前記フィン部の両端の外側に配置され、前記第１の桟部材及び前記第２の桟部材のそれぞれと接続されると共に、床面に立設され前記フィン部を支持する縦枠本体と、前記フィン部の下方、かつ、前記ルーバー部の前記所定の方向とは反対側であり、鉛直方向における最下部に設けられた前記ルーバー片よりも上方、かつ、鉛直方向において直近の高さにある前記ルーバー片に当接して配置されると共に、上部が開口した部分箱状に形成され、結露水を回収し、当接した前記ルーバー片とは反対側に冷気を流すように構成された結露受け部とを備える。【００１７】
ここで、冷温媒経路が、筒状体である複数の冷温媒配管により、冷温媒が流れる流路を形成することによって、冷温媒配管に冷温媒を流して、放射パネルを加熱又は冷却することができる。なお、冷温媒とは、例えば、所定の熱源を介して冷却又は加温可能な水道水、又は、不凍液等を用いることができる。また、ここでの冷温媒経路は、配管経路が直列となる構造と、配管経路が並列となる構造との両方を含むものである。【００１８】
また、フィン部が、所定の方向に突出した複数の凸部が形成され、凸部の少なくとも一部は、その内側に冷温媒配管が配置されたことによって、冷温媒配管の表面から伝導放熱、放射放熱及び対流放熱を生じさせながら、かつ、複数の凸部を放射パネルの放熱部として、実表面積及び見かけの表面積を大きくすることができる。この結果、放射放熱及び対流放熱による冷暖効果を生じさせ、その効果を高めることができる。【００１９】
また、ルーバー部が、複数のルーバー片を鉛直方向に沿って配置し、所定の方向において凸部より外側に配置され、冷温媒配管の下部を覆うことによって、フィン部より下部側の冷温媒配管を外観上見えにくくして、意匠性を高めることができる。【００２０】
また、結露受け部が、フィン部の下方、かつ、ルーバー部の所定の方向とは反対側に配置される共に、上部が開口した部分箱状に形成され、結露水を回収することによって、フィン部の下方、かつ、ルーバー部の所定の方向とは反対側の領域に向かって流れてくる結露水を、結露受け部で集めて、放射パネルが設置された室内の床面等に結露水が飛散することを抑止できる。【００２１】
また、ルーバー部が、複数のルーバー片を鉛直方向に沿って配置され、結露受け部が、鉛直方向における最下部に設けられたルーバー片よりも上方、かつ、鉛直方向において直近の高さにあるルーバー片に当接して配置されると共に、上部が開口した部分箱状に形成され、結露水を回収し、当接したルーバー片とは反対側に冷気を流すように構成されたことによって、複数のルーバー片を介して、結露水を結露受け部へと案内しやすくなる。また、最下部に設けられたルーバー片と、結露受け部と当接したルーバー片を、冷えにくくすることができる。これにより、最下部に設けられたルーバー片と、そのすぐ上方に配置されたルーバー片において、結露が生じにくくなる。また、結露受け部と当接したルーバー片の上方に、さらなるルーバー片が設けられた場合に、このルーバー片が冷えて、結露水が生じたとしても、結露受け部が、鉛直方向において、直近のルーバー片に当接して配置されたことで、結露水を、結露受け部で集めるやすい構造となっている。【００２２】
また、第１の桟部材が、フィン部の上部側に配置され、凸部の配列方向においてフィン部の長さよりも長く形成され、フィン部の上部と接続されたことによって、フィン部の上部に、凸部の配列方向に沿って、フィン部を安定して支持する支持構造を構築することができる。【００２３】
また、第２の桟部材が、フィン部の下部側に配置され、凸部の配列方向においてフィン部の長さよりも長く形成され、フィン部の下部と接続されたことによって、フィン部の下部に、凸部の配列方向に沿って、フィン部を安定して支持する支持構造を構築することができる。【００２４】
また、縦枠本体が、凸部の配列方向においてフィン部の両端の外側に配置され、第１の桟部材及び第２の桟部材のそれぞれと接続されると共に、床面に立設されフィン部を支持することによって、第１の桟部材及び第２の桟部材を、縦枠本体で支持することができる。即ち、フィン部を、第１の桟部材及び第２の桟部材で支持して強度を担保しながら、この構造を更に、縦枠本体で支持することができる。また、縦枠本体を介して、放射パネルを床面に立設させることができる。【００２５】
また、ルーバー部が、少なくとも３つのルーバー片を有し、結露受け部は、鉛直方向における最下部から２段目のルーバー片に当接して配置された場合には、最下部に設けられたルーバー片と、結露受け部と当接した最下部から２段目のルーバー片を、冷えにくくすることができる。これにより、最下部に設けられたルーバー片と、そのすぐ上方に配置された最下部から２段目のルーバー片において、結露が生じにくくなる。【００２６】
また、フィン部の所定の方向とは反対側に設けられると共に、所定の壁面に当接して、又は、その近傍に配置されたフィン背面断熱部を備える場合には、フィン部から所定の壁面への熱の移動や伝達を現象させることができる。この結果、放射パネルを所定の壁面に当接して配置し、又は、所定の壁面のすぐ近くに配置しても、放射パネルと壁面との間で、結露が生じにくくすることができ、放射パネルの設置に必要なスペースを小さくできる。なお、ここでいう所定の壁面とは、例えば、放射パネルを設置する室内を構成する壁の面を意味するものである。【００２７】
また、鉛直方向において第１の桟部材よりも上方に設けられ、凸部の配列方向においてフィン部の長さよりも長く形成され、所定の壁面の一部を覆う上部背面カバーを備える場合には、第１の桟部材の上方で、所定の壁面の一部が露出しないようにして、所定の壁面の一部にカビ等が生えることを抑止できる。【００２８】
また、鉛直方向において第２の桟部材よりも下方に設けられ、凸部の配列方向においてフィン部の長さよりも長く形成され、所定の壁面の一部を覆う下部背面断熱部を備える場合には、第２の桟部材の下方で、所定の壁面の一部が露出しないようにして、所定の壁面の一部にカビ等が生えることを抑止できる。また、放射パネルの上部よりも冷えやすい、放射パネルの下部において、所定の壁面の一部に冷気が伝わりにくくなり、壁面が冷えて、結露が生じることを抑止できる。【００２９】
また、ルーバー片が、凸部の配列方向において所定の長さを有するルーバー本体と、ルーバー本体の上端に連設され所定の方向と反対方向に傾斜した第１の傾斜片と、ルーバー本体の下端に連設され所定の方向と反対方向に傾斜し、その先端が第１の傾斜片の先端よりも所定の方向と反対方向に位置する第２の傾斜片とを有する場合には、ルーバー片の上方から流れてきた結露水を、第１の傾斜片、ルーバー本体、及び、第２の傾斜片に沿って、上方から下方へと案内することができる。【００３０】
また、凸部の配列方向において、フィン部と縦枠本体との間に設けられると共に、所定の方向に突出した第１のダミー凸部が形成され、フィン部の端部との間に隙間を有して配置された第１のダミーフィン部を備える場合には、放熱部となるフィン部から、第１のダミーフィン部に、熱が伝わりにくくすることができる。これにより、第１のダミーフィン部から縦枠本体へと熱が伝わりにくくすることができる。即ち、第１のダミーフィン部を設けたことで、放熱部となるフィン部と縦枠本体とを繋ぐ、第１の桟部材及び第２の桟部材の距離が長くなり、フィン部から縦枠本体へと熱が伝わりにくくすることができる。また、縦枠本体とフィン部との間に、第１のダミーフィン部が存在することで、放熱部となるフィン部からの冷気（冷たい空気の対流伝熱）が、縦枠本体へと伝わりにくくすることができる。また、第１のダミー凸部を設けたことで、フィン部の凸部と同様の外観を生じさせ、見栄えを良くすることができる。さらに、第１のダミー凸部を放熱部として利用することができる。【００３１】
また、凸部の配列方向において、フィン部と縦枠本体との間に設けられると共に、所定の方向に突出した第２のダミー凸部が形成され、凸部の配列方向において、フィン部の端部と当接して配置された第２のダミーフィン部と、第２のダミーフィン部と縦枠本体との間に設けられると共に、所定の方向に突出した第３のダミー凸部が形成され、第２のダミーフィン部の端部との間に隙間を有して配置された第３のダミーフィン部を備える場合には、フィン部と、縦枠本体との間の距離が大きい場合に、第２のダミーフィン部と第３のダミーフィン部を配置して、フィン部と、縦枠本体との間を埋めつつ、放熱部となるフィン部から縦枠本体へと熱が伝わりにくくすることができる。即ち、第２のダミーフィン部及び第３のダミーフィン部を設けたことで、放熱部となるフィン部と縦枠本体とを繋ぐ、第１の桟部材及び第２の桟部材の距離が長くなり、フィン部から縦枠本体へと熱が伝わりにくくすることができる。また、縦枠本体とフィン部との間に、第２のダミーフィン部及び第３のダミーフィン部が存在することで、放熱部となるフィン部からの冷気（冷たい空気の対流伝熱）が、縦枠本体へと伝わりにくくすることができる。また、第２のダミー凸部及び第３のダミー凸部を設けたことで、フィン部の凸部と同様の外観を生じさせ、見栄えを良くすることができる。さらに、第２のダミー凸部及び第３のダミー凸部を放熱部として利用することができる。【００３２】
また、縦枠本体に、縦枠本体の所定の方向側から取り付けられ、縦枠本体を覆う縦枠カバー部と、縦枠本体と縦枠カバー部の間に配置された縦枠断熱部とを備える場合には、縦枠本体を縦枠カバー部で覆って全体の見栄えを良くすることができる。また、縦枠カバー部の内部における結露が生じやすい箇所を縦枠断熱部で密閉して、結露が生じることを抑止できる。【００３３】
また、結露受け部及び縦枠カバー部の下方、かつ、床面に配置される共に、上部が開口した部分箱状に形成され、結露水を回収する水受け部を備える場合には、床面側に流れてきた結露水を、水受け部で集めて、放射パネルが設置された室内の床面等に結露水が飛散することを抑止できる。例えば、結露受け部で回収できなかった結露水を、水受け部で回収して、結露水をより確実に集めることができる。【００３４】
また、結露受け部及び縦枠カバー部の下方、かつ、床面に配置される共に、上部が開口した部分箱状に形成され、結露水を回収する水受け部を備え、縦枠カバー部は、凸部の配列方向における端面の下端の少なくとも一部に切込みが形成された場合には、縦枠カバー部の端面を流れてきた結露水を、切込みの箇所から水受け部の方へ案内して、水受け部で結露水を集めやすくすることができる。【００３５】
また、凸部の内周面に、配管受け部が形成され、冷温媒配管は、配管受け部と、冷温媒配管の外周面の一部に嵌合可能な配管押さえ部との間に、接着剤を介して圧着された場合には、冷温媒配管を、配管受け部と配管押さえ部の間に配置して、凸部の内周面にしっかりと取り付けることができる。【００３６】
また、上記の目的を達成するために、本発明の放射パネルは、筒状体である複数の冷温媒配管により、冷温媒が流れる流路を形成する冷温媒経路と、所定の方向に突出した複数の凸部が形成され、前記凸部の少なくとも一部は、その内側に前記冷温媒配管が配置されたフィン部と、前記所定の方向において前記凸部より外側に配置され、前記冷温媒配管の下部を覆うと共に、前記凸部の配列方向において所定の長さを有するルーバー本体と、前記ルーバー本体の上端に連設され前記所定の方向と反対方向に傾斜した第１の傾斜片と、前記ルーバー本体の下端に連設され前記所定の方向と反対方向に傾斜し、その先端が前記第１の傾斜片の先端よりも前記所定の方向と反対方向に位置する第２の傾斜片とを含むルーバー片を、鉛直方向に沿って複数配置したルーバー部と、前記フィン部の上部側に配置され、前記凸部の配列方向において前記フィン部の長さよりも長く形成され、同フィン部の上部と接続された第１の桟部材と、前記フィン部の下部側に配置され、前記凸部の配列方向において前記フィン部の長さよりも長く形成され、同フィン部の下部と接続された第２の桟部材と、前記凸部の配列方向において前記フィン部の両端の外側に配置され、前記第１の桟部材及び前記第２の桟部材のそれぞれと接続されると共に、床面に立設され前記フィン部を支持する縦枠本体と、前記フィン部の下方、かつ、前記ルーバー部の前記所定の方向とは反対側に配置される共に、上部が開口した部分箱状に形成され、結露水を回収する結露受け部とを備える。【００３７】
ここで、冷温媒経路が、筒状体である複数の冷温媒配管により、冷温媒が流れる流路を形成することによって、冷温媒配管に冷温媒を流して、放射パネルを加熱又は冷却することができる。なお、冷温媒とは、例えば、所定の熱源を介して冷却又は加温可能な水道水、又は、不凍液等を用いることができる。また、ここでの冷温媒経路は、配管経路が直列となる構造と、配管経路が並列となる構造との両方を含むものである。【００３８】
また、フィン部が、所定の方向に突出した複数の凸部が形成され、凸部の少なくとも一部は、その内側に冷温媒配管が配置されたことによって、冷温媒配管の表面から伝導放熱、放射放熱及び対流放熱を生じさせながら、かつ、複数の凸部を放射パネルの放熱部として、実表面積及び見かけの表面積を大きくすることができる。この結果、放射放熱及び対流放熱による冷暖効果を生じさせ、その効果を高めることができる。【００３９】
また、ルーバー部が、ルーバー片を、鉛直方向に沿って複数配置し、所定の方向において凸部より外側に配置され、冷温媒配管の下部を覆うことによって、フィン部より下部側の冷温媒配管を外観上見えにくくして、意匠性を高めることができる。【００４０】
また、ルーバー片が、凸部の配列方向において所定の長さを有するルーバー本体と、ルーバー本体の上端に連設され所定の方向と反対方向に傾斜した第１の傾斜片と、ルーバー本体の下端に連設され所定の方向と反対方向に傾斜した第２の傾斜片とを含むことによって、ルーバー片の上方から流れてきた結露水を、第１の傾斜片、ルーバー本体、及び、第２の傾斜片に沿って、上方から下方へと案内することができる。【００４１】
また、結露受け部が、フィン部の下方、かつ、ルーバー部の所定の方向とは反対側に配置される共に、上部が開口した部分箱状に形成され、結露水を回収することによって、フィン部の下方、かつ、ルーバー部の所定の方向とは反対側の領域に向かって流れてくる結露水を、結露受け部で集めて、放射パネルが設置された室内の床面等に結露水が飛散することを抑止できる。【００４２】
また、ルーバー片が、凸部の配列方向において所定の長さを有するルーバー本体と、ルーバー本体の上端に連設され所定の方向と反対方向に傾斜した第１の傾斜片と、ルーバー本体の下端に連設され所定の方向と反対方向に傾斜し、その先端が第１の傾斜片の先端よりも所定の方向と反対方向に位置する第２の傾斜片とを含み、ルーバー部が、ルーバー片を、鉛直方向に沿って複数配置し、結露水を回収する結露受け部が、フィン部の下方、かつ、ルーバー部の所定の方向とは反対側に配置されることによって、複数のルーバー片を介して、結露水を結露受け部へと案内しやすくなる。即ち、複数のルーバー片について、上方に位置するルーバー片の第２の傾斜片の先端が、そのすぐ下方に位置するルーバー片における第１の傾斜片の先端よりも、所定の方向とは反対方向に位置することで、上方のルーバー片の第２の傾斜片を流れる結露水が、鉛直下方へと真っすぐ流れていかず、ルーバー部から見て、所定の方向とは反対側（ルーバー部の内側）に流れやすくなる。この結果、上方のルーバー片の第２の傾斜片を流れる結露水は、ルーバー部の内側に設けられた結露受け部で回収することができる。【００４３】
また、第１の桟部材が、フィン部の上部側に配置され、凸部の配列方向においてフィン部の長さよりも長く形成され、フィン部の上部と接続されたことによって、フィン部の上部に、凸部の配列方向に沿って、フィン部を安定して支持する支持構造を構築することができる。【００４４】
また、第２の桟部材が、フィン部の下部側に配置され、凸部の配列方向においてフィン部の長さよりも長く形成され、フィン部の下部と接続されたことによって、フィン部の下部に、凸部の配列方向に沿って、フィン部を安定して支持する支持構造を構築することができる。【００４５】
また、縦枠本体が、凸部の配列方向においてフィン部の両端の外側に配置され、第１の桟部材及び第２の桟部材のそれぞれと接続されると共に、床面に立設されフィン部を支持することによって、第１の桟部材及び第２の桟部材を、縦枠本体で支持することができる。即ち、フィン部を、第１の桟部材及び第２の桟部材で支持して強度を担保しながら、この構造を更に、縦枠本体で支持することができる。また、縦枠本体を介して、放射パネルを床面に立設させることができる。【００４６】
また、結露受け部が、鉛直方向における最下部に設けられたルーバー片よりも上方、かつ、鉛直方向において直近の高さにあるルーバー片に当接して配置されると共に、当接したルーバー片とは反対側に冷気を流す場合には、最下部に設けられたルーバー片と、結露受け部と当接したルーバー片を、冷えにくくすることができる。これにより、最下部に設けられたルーバー片と、そのすぐ上方に配置されたルーバー片において、結露が生じにくくなる。また、結露受け部と当接したルーバー片の上方に、さらなるルーバー片が設けられた場合に、このルーバー片が冷えて、結露水が生じたとしても、その第２の傾斜片を流れる結露水が、鉛直下方へと真っすぐ流れていかず、所定の方向とは反対側にある結露受け部の方に流れやすくなっていることから、結露水を、結露受け部で集めることができる。
【発明の効果】
【００４７】
本発明に係る放射パネルは、放射冷暖空調に用いる放射パネルにつき、冷暖効果に優れ、放熱部以外での結露が生じにくく、かつ、発生した結露水を充分に処理可能なものとなっている。
【図面の簡単な説明】
【００４８】
【図１】本発明を適用した放射パネルの全体構造を示す概略斜視図である。
【図２】図１に示す放射パネルの構造を示す概略分解図である。
【図３】左側の縦枠カバーを取り外した状態を示す部分概略分解図である。
【図４】（ａ）は、縦枠補助部材の一方を上方に伸ばした状態を示す概略斜視図であり、（ｂ）は、縦枠補助部材に壁側固定金具を取り付けた構造を示す概略斜視図である。
【図５】（ａ）は、放射パネルの上部かつ背面部周辺の構造を示す斜視概略拡大図であり、（ｂ）は、放射パネルの下部かつ背面部周辺の構造を示す斜視概略拡大図である。
【図６】（ａ）は、放射パネルの概略側面断面図であり、（ｂ）は、図６（ａ）における上部側の領域、及び、下部側の領域を示す拡大図である。
【図７】（ａ）は、結露受け取付部に対して結露受けを取り付けた状態を示す概略斜視図であり、（ｂ）は、ルーバー取付部に対する下部ルーバー部の取付構造を示す概略側面図であり、（ｃ）は、下部ルーバー部を取り付けた状態を示す部分拡大斜視図である。
【図８】（ａ）は、上部ルーバー部及び下部ルーバー部を結露水が移動する様子を示す概略側面図であり、（ｂ）は、下部ルーバー部において結露受け部に結露水が流れる状態を示す概略斜視図である。
【図９】（ａ）は、下部ルーバー部において結露受けの背面側に冷気が流れる状態を示す概略側面断面図であり、（ｂ）及び（ｃ）は、縦枠カバーの下部及び水受け部を示す概略図である。
【図１０】（ａ）は、フィン部とその周辺構造を示した概略平面断面図であり、（ｂ）は、図１０（ａ）における左側の領域、及び、右側の領域を示す拡大図である。
【図１１】（ａ）は、フィンユニットの配管受け部に配管を取り付ける前の状態を示す概略平面断面図であり、（ｂ）は、フィンユニットの配管受け部に配管を取り付けた状態を示す概略平面断面図である。
【図１２】裏面傾斜片のその他の形状の一例を示す概略斜視図である。
【図１３】（ａ）は、上部に媒体供給部及び媒体排出部が設けられた並列状の流体経路を有する放射パネルの構造を示す概略図であり、（ｂ）は、下部に媒体供給部及び媒体排出部が設けられた並列状の流体経路を有する放射パネルの構造を示す概略図である。
【発明を実施するための形態】
【００４９】
以下、本発明の実施の形態について図面を参照しながら説明し、本発明の理解に供する。
なお、以下に示す構造は本発明を適用した放射パネルの一例であり、本発明の内容はこれに限定されるものではなく、適宜設定変更することが可能である。
【００５０】
なお、以下の説明においては、図６（ａ）を基準に、図中の上下を「上又は上側」、「下又は下側」及び「上下方向又は鉛直方向」と称する。また、図１０（ａ）を基準に、図中の左右を「左又は左側」、「右又は右側」及び「左右方向又は水平方向」と称する。さらに、図１０（ａ）を基準に、図中の左右方向に沿って、「外又は外側」及び「内又は内側」と称する。
【００５１】
また、図６（ａ）を基準に、図中の左側を「表又は表側」又は「表面側」、図中の右側を「裏又は裏側」又は「背面側」と称する。また、図６（ａ）を基準に、図中の左右方向（表裏方向）を「厚み方向」と称する。さらに、図６（ａ）を基準に、図中の左右方向に沿った内側を「厚み方向の中央側」、外側を「厚み方向の外側」と称する。
【００５２】
図１に示すように、本発明を適用した放射パネルの一例である放射パネルＡは、室内空間の床面に立設された、縦型タイプの放射冷暖空調の放射パネルである。また、放射パネルＡは、表面側にのみ、放熱部となるフィン部１１が設けられた片面タイプの放射パネルである。
【００５３】
図１に示すように、放射パネルＡは、放熱部１と、２つの柱構造２と、上部ルーバー部３及び下部ルーバー部４を備えている。
【００５４】
放熱部１は、冷温媒となる水道水を循環させる配管１０（図２参照）をフィン部１１（図２参照）で覆った部材であり、放射放熱及び対流放熱を生じる部材である。
【００５５】
２つの柱構造２は、放射パネルＡを床面に立設させるための支持部であり、かつ、放射パネルＡの全体の強度を担保する部材である。なお、２つの柱構造２は、放射パネルＡを構成する部材となっているが、放射パネルを設置する空間に既に設けられている柱体や壁面を、柱構造２に代わる構造として用いることも可能である。
【００５６】
上部ルーバー部３及び下部ルーバー部４は、放熱部１の上部及び下部の位置で配管１０を覆って、外部から配管１０を視認しにくくする部材である。また、放熱部１の領域では、配管１０がフィン部１１に覆われているため、外観上、フィン部１１が視認される構造となっている。
【００５７】
また、上部ルーバー部３及び下部ルーバー部４は、発生した結露水を、上方から下方に、又は、後述する結露受け５の方へと案内する部材でもある。
【００５８】
［配管経路］
図２に示すように、配管１０は、媒体供給部１００、主配管（図示省略）、連結配管１０１及び媒体排出部１０２を有している。なお、主配管は、図２中には表れないが、配管１０のうち、フィン部１１に外周面が覆われた鉛直方向に延びる配管である。また、図１０（ａ）中において、符号１０３を付して主配管を示している。
【００５９】
配管１０は、主配管１０３及び連結配管１０１で形成された配管経路に、媒体供給部１００から水道水を供給して、媒体排出部１０２を介して水道水を排出するように構成されている。即ち、配管１０は、冷温媒となる水道水の流路として、直列状の流体経路を形成している。
【００６０】
また、媒体排出部１０２及び媒体供給部１００は、図示しない配管で構成された循環経路で繋がっており、この循環経路の途中に、水道水を加温又は冷却する所定の媒体温度調整機構が設けられている。
【００６１】
即ち、図示しない制御機構で、放射パネルＡが設置された室内空間の温度を調整するように制御信号が出され、この制御信号に応じて、媒体温度調整機構が循環経路を流れる水道水を加温又は冷却する。そして、主配管１０３及び連結配管１０１で形成された配管経路に、温度を調整した水道水が供給される構造となっている。
【００６２】
また、主配管１０３は、所定の長さを有する筒状体であり、一定間隔で、複数の主配管１０３が配置されている。また、複数の主配管１０３は、隣接する主配管の上端部又は下端部が略Ｕ字状の連結配管１０ｑで接続されている。
【００６３】
また、主配管１０３及び連結配管１０１はステンレスで形成されている。また、主配管１０３は押出成形により形成されている。
【００６４】
ここで、必ずしも、配管経路を循環させる冷温媒が水道水である必要はなく、温度調整が可能であり、流体として循環可能な液体であれば採用可能である。但し、放射パネルのサイズや、設置数が多くなった場合、冷温媒として水道水が利用できれば、同様に不凍液を媒体にするものに比べて、放射パネルのランニングコストを抑えることができる。
【００６５】
また、必ずしも、主配管１０３及び連結配管１０１がステンレスで形成される必要はなく、内部に冷温媒を循環させることが可能で、後述するフィン部１１との間で、熱伝導が可能な素材であれば、その他の金属を採用することもできる。但し、冷温媒により配管経路が腐食しにくくなる点から、主配管１０３及び連結配管１０１がステンレスで形成されることが好ましい。
【００６６】
また、主配管１０３の形状は、必ずしも、外形が略円柱状の丸型の筒状体が採用される必要はない。例えば、主配管の形状として、外形が角柱状の筒状体を採用することも可能である。主配管に、外形が角柱状の筒状体を採用した場合、外形が略円柱状の主配管と比較して、主配管の内部を流れる冷温媒が、貫通孔の中で、主配管の外周面に近い領域（貫通孔の中心ではなく、外側の領域）に流れやすくなることがあり、冷温媒による熱交換率を向上させることができる。
【００６７】
また、必ずしも、図２に示すように、媒体供給部１００及び媒体排出部１０２が放射パネルの上部に設けられた構造が採用される必要はない。例えば、媒体供給部及び媒体排出部が、放射パネルの下部に設けられた構造を採用することも可能である。
【００６８】
また、必ずしも、放射パネルが、直列状の流体経路を有する構造となる必要はない。例えば、図１３（ａ）及び図１３（ｂ）に示すように、並列上の流体経路を有する放射パネルとすることも可能である。なお、図１３（ａ）は、媒体供給部１００及び媒体排出部１０３が上部に設けられた構造であり、図１３（ｂ）は、媒体供給部１００及び媒体排出部１０３が下部に設けられた構造である。
【００６９】
このように、並列状の流体経路を有する放射パネルでは、複数の主配管は、複数の供給側の主配管１０１ａと、複数の排出側の主配管１０１ｂで構成されている。
【００７０】
また、複数の供給側の主配管１０１ａの媒体供給部１００側の端部は、連結配管１０２ａで接続されている。また、複数の排出側の主配管１０１ｂの媒体排出部１０３側の端部は、連結配管１０２ｃで接続されている。さらに、複数の供給側の主配管１０１ａの媒体供給部１００と反対側の端部と、複数の排出側の主配管１０１ｂの媒体排出部１０３と反対側の端部は、連結配管１０２ｂで接続されている。
【００７１】
また、図１３（ａ）に示す、流体経路では、供給側の主配管１０１ａの本数よりも、排出側の主配管１０１ｂの本数が多くなっている。また、図１３（ｂ）に示す流体経路では、供給側の主配管１０１ａの本数が、排出側の主配管１０１ｂの本数よりも多くなっている。並列状の流体経路を有する構造の場合、媒体供給部１００及び媒体排出部１０３が、上又は下のどちらに設けられたかによって、供給側と排出側の主配管の数を調整することで、主配管の配管経路内に発生する空気を、排出部側に排出しやすい構造とすることができる。
【００７２】
このように、本発明を適用した放射パネルでは、直列状の流体経路だけでなく、並列状の流体経路を有する構造にも適用可能となっている。
【００７３】
図２に示すように、配管１０（及びフィン部１１）の下部、かつ、下部ルーバー部４の背面側には、冷房時に発生する結露水を回収する結露受け５が配置されている。この結露受け５は、厚み方向の中央側、及び、左右方向の内側に向けて凹んだ、部分箱状に形成されている。
【００７４】
また、結露受け５の底部の最も凹んだ箇所に、流れてきた結露水を、結露受け５の外部に排出する排出孔（図示省略）が形成されている。この排出孔の先には配管が接続され、屋外に結露水が排出されるようになっている。
【００７５】
［柱構造］
図２に示すように、放熱部１の左右に柱構造２が設けられている。柱構造２は、縦枠本体２０と、縦枠本体２０に着脱可能な縦枠カバー２１から構成されている。なお、図３には、２つの縦枠カバー２１のうち、左側の縦枠カバー２１を取り外した状態を示している。
【００７６】
また、縦枠本体２０に、その表面側から縦枠カバー２１を取り付けた状態では、縦枠本体２０と縦枠カバー２１との間の一部に、隙間が形成され、この隙間の部分を断熱材で密閉する構造となっている（図示省略）。
【００７７】
このように、縦枠本体２０と縦枠カバー２１との間に隙間が形成されることで、この隙間の部分に、別途断熱材を配置可能となる。冷房時には、縦枠カバー２１の内部の空間に結露が発生して、放射パネルＡを設置した床面に結露水が落ちることがあるが、断熱材を配置することで、縦枠カバー２１の内側及び外周面における結露水の発生を抑止することができる。
【００７８】
また、図２に示すように、柱構造２は、その上部に縦枠補助部材２２を有している。この縦枠補助部材２２は、その上端を室内空間の天井面に当接させて固定することで、放射パネルＡを天井面に対して固定させるための部材である（図２及び図４（ａ）参照）。縦枠補助部材２２は、縦枠本体２０に対して上下にスライドさせ、固定できるように構成されている。
【００７９】
また、図２に示すように、縦枠補助部材２２の上部に壁側取付金具２３を配置した構造とすることができる。壁側取付金具２３は、放射パネルＡを、その背面側に位置する室内空間の壁面に固定するための部材である（図２及び図４（ｂ）参照）。例えば、室内空間の天井面が高く、縦枠補助部材２２が届かないような場合に、壁側取付金具２３を用いて、背面側の壁面に放射パネルＡを固定することができる。
【００８０】
ここで、本発明を適用した放射パネルＡでは、これを固定する構造として、必ずしも、縦枠補助部材２２や壁側取付金具２３が採用される必要はなく、放射パネルＡが室内空間の床面や天井面、又は、壁面等に固定できる構造であれば、その固定に用いる取付金具等は特に限定されるものではない。
【００８１】
［横桟部の構造］
図２に示すように、フィン部１１部の上部には、左右方向に沿って、上部横桟部６が設けられている。また、フィン部１１部の下部には、左右方向に沿って、下部横桟部７が設けられている。上部横桟部６及び下部横桟部７は、フィン部１１の上部又は下部を固定して、強度を担保する部材である。
【００８２】
また、上部横桟部６及び下部横桟部７は、左右方向におけるフィン部１１の長さよりも長く形成されている（図２参照）。また、上部横桟部６及び下部横桟部７は、後述するフィン部１１におけるベース部１２０と当接する箇所において、左右方向に沿って一定間隔で、複数のネジ構造（符号省略）が設けられ、ベース部１２０が、上部横桟部６及び下部横桟部７に固定されている（図５（ａ）及び図５（ｂ）参照）。
【００８３】
また、図示しないが、上部横桟部６及び下部横桟部７の表面側に、縦枠本体２０が配置され、縦枠本体２０と、上部横桟部６及び下部横桟部７のそれぞれが締結金具で固定されている。これにより、上部横桟部６及び下部横桟部７が、床面に立設された縦枠本体２０で支持される構造となっている。
【００８４】
また、上部横桟部６及び下部横桟部７は、フィン背面断熱材９０に形成された切欠に嵌合して配置されている（図５（ａ）及び図５（ｂ）参照）。
【００８５】
図２及び図５（ａ）に示すように、上部横桟部６の上方には、上部背面カバー８が設けられている。上部背面カバー８は、放射パネルＡの背面側にある、室内空間の壁面のうち、鉛直方向においてフィン部１１よりも上方であり、かつ、左右方向において、上部横桟部６の長さの範囲の領域が、外部に露出しないように覆う金属製の部材である。
【００８６】
即ち、放射パネルＡの背面を、室内空間の壁面に当接させて配置した際に、壁面のうち、上部背面カバー８と対応する領域が、フィン部１１の上方で露出しないように配置されている。上部背面カバー８を設けることで、壁面の一部が、放射パネルＡの使用に伴い、湿気や結露に晒され、壁面にカビ等が生じることを抑止できる。
【００８７】
また、図示しないが、上部背面カバー８の表面側に、縦枠本体２０が配置され、縦枠本体２０と、上部背面カバー８が締結金具で固定されている。これにより、上部背面カバー８が、床面に立設された縦枠本体２０で支持される構造となっている。
【００８８】
ここで、必ずしも放射パネルＡに、上部背面カバー８が設けられる必要はない。但し、上述したように、室内空間の壁面にカビ等が生じることを抑止できる点から、放射パネルＡに、上部背面カバー８が設けられることが好ましい。
【００８９】
次に、放射パネルの背面側及び下部側に設けられた断熱構造について説明する。
図６（ａ）及び図６（ｂ）に、放射パネルＡを側面から見た概略断面図を示している。図６（ａ）及び図６（ｂ）では、図面中の右側に、放射パネルＡの背面を当接して配置する室内空間の壁面（図示省略）があることを想定している。なお、図６（ｂ）の上側の図が、図６（ａ）の符号Ｙ１で示す範囲の拡大図であり、図６（ｂ）の下側の図が、図６（ａ）の符号Ｙ２で示す範囲の拡大図である。
【００９０】
放射パネルＡの背面側には、フィン背面断熱材９０と、断熱テープ９１と、下部背面断熱材９２と、柱状断熱材９３が配置されている（図５及び図６参照）。これらの部材は、いずれも一定の厚みを有する断熱素材で形成され、フィン部１１や放射パネルＡの下部側に生じた冷気が、室内空間の壁面側に伝わることを抑止する。
【００９１】
これらの部材により、放射パネルＡの背面側から、室内空間の壁面側に冷気が流れにくくなり、壁面が冷えて、結露が生じることが防止でき、放射パネルＡの背面を、壁面に当接させて配置したり、又は、壁面のすぐ近くに配置したりすることが可能となる。
【００９２】
より詳しくは、フィン背面断熱材９０は、フィン部１１の背面側に配置された板状の断熱材であり、３０ｍｍの厚みを有している。また、下部背面断熱材９２は、フィン背面断熱材９０の下方に設けられ、１５ｍｍの厚みを有している。
【００９３】
また、断熱テープ９１は、鉛直方向では、下部背面断熱材９２及びフィン背面断熱材９０の一部を含む範囲で（図６（ｂ）参照）、かつ、左右方向では、下部背面断熱材９２及びフィン背面断熱材９０と同じ長さとなる範囲で、下部背面断熱材９２及びフィン背面断熱材９０の一部に貼り付けられている。
【００９４】
また、柱状断熱材９３は、下部背面断熱材９２の左右方向における端部側、かつ、その表面側に配置され、細長い部分柱状に形成されている。
【００９５】
放射パネルＡにおいては、冷房時に、下部側の方に冷気が流れてきて、下部側において結露が生じやすいため、断熱テープ９１、下部背面断熱材９２、及び、柱状断熱材９３を配置して、下部側の冷気に対応する構造となっている。
【００９６】
また、下部背面断熱材９２は、放射パネルＡの背面側にある、室内空間の壁面のうち、鉛直方向においてフィン部１１よりも下方であり、かつ、左右方向において、下部横桟部７の長さの範囲の領域が、外部に露出しないように覆う部材でもある。つまり、上部背面カバー８と同様に、壁面の一部を覆っている。
【００９７】
下部背面断熱材９２を設けることで、壁面の一部が、放射パネルＡの使用に伴い、湿気や結露に晒され、壁面にカビ等が生じることを抑止できる。また、図示しないが、水受け５０の上面及び下面に断熱部を設けており、床への熱を伝えにくくしている。
【００９８】
ここで、必ずしも、放射パネルＡの背面側の断熱構造として、フィン背面断熱材９０と、断熱テープ９１と、下部背面断熱材９２と、柱状断熱材９３が配置される必要はない。但し、片面タイプの放射パネルを、室内空間の壁面に当接して配置して、壁面側に冷気が流れにくくする点から、放射パネルＡの背面側、特に、フィン部１１の背面側に、断熱材が配置されることが好ましい。
【００９９】
ここで、必ずしも放射パネルＡに、下部背面断熱材９２が設けられる必要はない。但し、上述したように、室内空間の壁面にカビ等が生じることを抑止できる点、及び、結露が生じやすい放射パネルの下部側において、冷気が流れにくくする点から、放射パネルＡに、下部背面断熱材９２が設けられることが好ましい。
【０１００】
［ルーバー部］
続いて、上部ルーバー部３及び下部ルーバー部４の詳細な構造について説明する。
図２及び図６（ｂ）に示すように、上部ルーバー部３は、同一形状である２つのルーバー片３０から構成されている。また、２つのルーバー片３０は、左右方向における縦枠カバー２１の内周面側に設けられた、ルーバー取付部２１０に嵌め込まれて取り付けられる（図２参照）。即ち、ルーバー片３０の左右方向の長さは、２つの縦枠カバー２１の間に架け渡して配置することが可能な長さに形成されている。
【０１０１】
また、２つのルーバー片３０は、ルーバー取付部２１０に嵌め込まれた状態で、厚み方向（表裏方向）における表面側の端面が揃っており、鉛直方向に沿って２つ並べて配置されている。
【０１０２】
また、図２及び図６（ｂ）に示すように、下部ルーバー部４は、同一形状である３つのルーバー片４０から構成されている。また、ルーバー片４０は、ルーバー片３０と同一形状である。
【０１０３】
また、３つのルーバー片４０は、左右方向における縦枠カバー２１の内周面側に設けられた、ルーバー取付部２２０に嵌め込まれて取り付けられる（図２参照）。即ち、ルーバー片４０の左右方向の長さは、２つの縦枠カバー２１の間に架け渡して配置することが可能な長さに形成されている。
【０１０４】
なお、図７（ｂ）の符号Ｓを付した矢印の方向は、ルーバー取付部２２０に対して、ルーバー片４０を取り付ける方向を示している。
【０１０５】
また、３つのルーバー片４０は、ルーバー取付部２２０に嵌め込まれた状態で、厚み方向における表面側の端面が揃っており、鉛直方向に沿って、２つ並べて配置されている。
【０１０６】
また、縦枠カバー２１の内周面には、ルーバー取付部２２０における２段目（３つの内の真ん中）のルーバー片４０が取り付けられる位置の近くに、結露受け５を取り付ける結露受け取付部２３０が設けられている（図２、図７（ａ）及び図７（ｂ）参照）。
【０１０７】
また、縦枠カバー２１の内周面のうち、結露受け取付部２３０の上方及び下方には、断熱材９４が配置されている（図７（ａ）参照）。
【０１０８】
また、図７（ｂ）に示すように、１つのルーバー片４０は、ルーバー片本体４１と、上部傾斜片４２と、下部傾斜片４３と、裏面傾斜片４４から構成されている。ルーバー片４０を構成する各部材は、板状に形成されている。
【０１０９】
また、ルーバー取付部２２０にルーバー片４０が取り付けられた状態で、ルーバー片本体４１は、鉛直方向と略平行な向きに配置される。また、上部傾斜片４２は、ルーバー片本体４１の上端に連設され、その先端が背面側に向かうように右上に傾斜している。また、下部傾斜片４３は、ルーバー片本体４１の下端に連設され、その先端が背面側に向かうように右下に傾斜している。
【０１１０】
また、ルーバー取付部２２０にルーバー片４０が取り付けられた状態で、背面傾斜片４２は、ルーバー片本体４１の背面に連設され、その先端が背面側に向かうように右下に傾斜している。
【０１１１】
さらに、ルーバー取付部２２０にルーバー片４０が取り付けられた状態で、厚み方向におけるルーバー片本体４１から上部傾斜片４２の先端までの距離（図７（ｂ）中の符号Ｔ１で示す長さ）は、厚み方向におけるルーバー片本体４１から下部傾斜片４３の先端までの距離（図７（ｂ）中の符号Ｔ２で示す長さ）よりも短く形成されている。なお、ルーバー片３０も同様の構造を有している。
【０１１２】
このようなルーバー片４０（又はルーバー片３０）の形状とすることにより、複数のルーバー片４０を鉛直方向に沿って配置した際に、上側に位置するルーバー片４０を伝って下方に流れる結露水が、鉛直下方に真っすぐ流れていかず、ルーバー片４０よりも背面側、即ち、結露受け５が配置された厚み方向の中央に向けて流れやすくなる（図８（ａ）及び図８（ｂ）参照）。
【０１１３】
また、裏面傾斜片４４を設けたことで、上部からの冷気がルーバー片本体４１にあたりづらくなり、ルーバー片４０の全体として、冷えにくくすることができる。また、裏面傾斜片４４を設けたことにより、結露水を厚み方向の中央側へ案内することができる。
【０１１４】
また、ルーバー片３０又はルーバー片４０における結露水の流れ方を、図８（ａ）及び図８（ｂ）に模式的に表している。図８（ａ）及び図８（ｂ）では、結露水の流れを符号Ｗを付した矢印で示している。
【０１１５】
例えば、上部ルーバー３では、上側のルーバー片３０を伝って流れた結露水は、上側のルーバー片３０の下部傾斜片（符号省略）を伝って、下側のルーバー片３０の上部傾斜片（符号省略）の方には流れず、これよりも背面側の方向に流れていく（図８（ａ）参照）。
【０１１６】
また、下部ルーバー４では、３段目（３つの中の一番上）のルーバー片４０と、２段目（３つの中の真ん中）のルーバー片４０において、３段目のルーバー片４０を伝って流れた結露水は、３段目のルーバー片４０の下部傾斜片（符号省略）を伝って、２段目のルーバー片４０の上部傾斜片（符号省略）の方には流れず、これよりも背面側の方向に流れて、結露受け５に回収されやすくなっている（図８（ａ）及び図８（ｂ）参照）。
【０１１７】
また、図８（ａ）及び図８（ｂ）に示すように、下部横桟部７の下方には、背面側傾斜片４５が設けられ、その先端が、結露受け５の方向に向けて傾斜して形成されている。背面側傾斜片４５は、上方から落ちてきた結露水を、結露受け５の方に流す部材である。
【０１１８】
ここで、必ずしも、上部ルーバー部３のルーバー片３０と、下部ルーバー部４のルーバー片４０が同一形状に形成される必要はない。但し、ルーバー片３０の形状を、ルーバー片４０の形状と同じにすることで、放射パネルＡの厚み方向の中央側、即ち、結露受け５の方に、結露水を集めやすくなる点から、上部ルーバー部３のルーバー片３０と、下部ルーバー部４のルーバー片４０が同一形状に形成されることが好ましい。
【０１１９】
また、必ずしも、ルーバー片本体４１と、上部傾斜片４２と、下部傾斜片４３と、裏面傾斜片４４が、いずれも板状に形成される必要はなく、配管１０を目隠しできる長さで、左右方向に一定の長さを有しており、また、結露水を、上方から下方、又は、厚み方向の内側へと伝わせることができ、ルーバー取付部に取り付け可能であれば、これらの形状は特に限定されるものではない。例えば、ルーバー片本体、上部傾斜片、下部傾斜片、及び、裏面傾斜片の形状として、曲面を有する形状、波打った形状、段差を設けた形状等を採用することもできる。
【０１２０】
また、裏面傾斜片の形状として、例えば、図１２に示すように、側面視で湾曲した形状の裏面傾斜片４４０とすることもできる。このような裏面傾斜片４４０でも、上部からの冷気がルーバー片本体４１にあたりづらくなり、ルーバー片４００の全体として、冷えにくくすることができる。また、裏面傾斜片４４０を設けたことにより、結露水を厚み方向の中央側へ案内することができる。
【０１２１】
また、上部ルーバー部３のルーバー片３０の数と、下部ルーバー部４のルーバー片４０の数は、特に限定されるものではない。但し、ルーバー片４０の形状として、鉛直方向に沿って複数配置することで、結露受け５の方に、結露水を集めやすくなる点から、ルーバー片３０及びルーバー片４０は、複数設けられることが好ましい。
【０１２２】
次に、結露受け５の配置位置の詳細について説明する。結露受け５は、上述したように、配管１０（及びフィン部１１）の下部、かつ、下部ルーバー部４の背面側に配置されている（図２参照）。
【０１２３】
また、鉛直方向において、結露受け５は、３つのルーバー片４０のうち、２段目のルーバー片４０と対応する高さ位置に配置されている（図６（ｂ）、図７（ｂ）及び図８参照）。さらに、厚み方向において、結露受け５は、表面側に寄せた位置、即ち、２段目のルーバー片４０の背面に当接する位置に配置されている。
【０１２４】
ここで、放射パネルＡのような片面タイプの放射パネルを、室内空間の壁面に当接して（又は近づけて）配置した場合、下部ルーバー部が冷えやすい現象が確認されている。即ち、下部ルーバー部が冷えて、結露が生じやすいものとなっている。
【０１２５】
そこで、放射パネルＡでは、上述したように、結露受け５を、鉛直方向において、３つのルーバー片４０のうち、２段目のルーバー片４０と対応する高さ位置に配置し、かつ、厚み方向において、結露受け５を表面側に寄せて配置することで、結露受け５の上方から流れてくる冷気を、結露受け５の背面側の領域に流れやすくしている。
【０１２６】
これにより、下部ルーバー部４における、３つのルーバー片４０のうち、３段目（３つの中の一番上）のルーバー片４０が冷えたとしても、その下部にある２段目及び１段目のルーバー片４０が冷えにくい構造となっている。この結果、下部ルーバー部４の全体で、冷えやすさを改善することができる。なお、図９（ａ）中に、符号Ｃを付した矢印で、冷気の流れを示している。
【０１２７】
ここで、複数のルーバー片４０と、これに対する結露受け５を配置する位置は、鉛直方向に並べるルーバー片４０の数に応じて、適宜設定することが可能である。
【０１２８】
図７（ａ）〜図７（ｃ）に示すように、結露受け５及び建枠カバー２１の下方に、水受け５０が設けられている。水受け５０は、放射パネルＡの底面を構成し、結露受け５に回収されない結露水を回収する部材である。
【０１２９】
また、水受け５０は、周縁部が立ち上がった部分箱状に形成されている。また、図示しないが、水受け５０で集めた結露水を外部に排出する排出孔（図示省略）が形成されている。この排出孔の先には配管が接続され、屋外に結露水が排出されるようになっている。
【０１３０】
また、図９（ｂ）及び図９（ｃ）に示すように、縦枠カバー２１の外周面かつ下端側には、水受け５０に対応する位置に、切欠き２４０が形成されている。この切り欠き２４０により、縦枠カバー２１の外周面を伝って、下方に結露水が流れてきた際に、切り欠き２４０の位置で結露水が、水受け５０の方に流れやすくなっている。なお、図９（ｂ）及び図９（ｃ）では、符号Ｙで切欠き２４０の幅を示している。
【０１３１】
［フィン部］
次に、フィン部１１の構造について説明する。
フィン部１１は、上述したように、配管１０を覆って、放熱部１を構成する部材である（図２参照）。また、フィン部１１は、複数のフィンユニット１２と、排出側ダミーフィン１３と、供給側ダミーフィン１４及び供給側ダミーフィン１５を有している（図１０（ａ）及び図１０（ｂ）参照）。
【０１３２】
また、フィンユニット１２、排出側ダミーフィン１３、供給側ダミーフィン１４及び供給側ダミーフィン１５はアルミニウムで形成されている。なお、図１０（ａ）及び図１０（ｂ）は、放射パネルＡを平面視した部分断面図である。また、図１０（ｂ）の左側の図が、図１０（ａ）の符号Ｘ１で示す範囲の拡大図であり、図１０（ｂ）の右側の図が、図１０（ａ）の符号Ｘ２で示す範囲の拡大図である。
【０１３３】
ここで、必ずしも、フィンユニット１２、排出側ダミーフィン１３、供給側ダミーフィン１４及び供給側ダミーフィン１５がアルミニウムで形成される必要はない。これらの部材は、熱伝導性に優れた素材で形成することが可能であり、例えば、熱伝導性の良い金属や、金属以外の素材が採用されてもよい。
【０１３４】
また、左右方向において、２つの縦枠カバー２１に挟まれた領域の中に、左側から、排出側ダミーフィン１３、複数のフィンユニット１２、供給側ダミーフィン１４及び供給側ダミーフィン１５の順番で配置されている（図１０（ａ）及び図１０（ｂ）参照）。
【０１３５】
また、１つのフィンユニット１２は、ベース部１２０と、配管用凸部１２１と、空洞凸部１２２を有している。ベース部１２０は、フィンユニット１２のベースとなる部分板状の部材であり、上部横桟部６及び下部横桟部７と当接して、これらの部材に固定される部材でもある。また、ベース部１２０と、配管用凸部１２１及び空洞凸部１２２は、鉛直方向に沿って長手方向を有する長尺の部材に形成されている。
【０１３６】
また、配管用凸部１２１は、その内側に、主配管１０３を配置する部材であり、主配管１０３を循環する冷温水との間で熱交換を行う。なお、図１０（ａ）及び図１０（ｂ）において、左端に位置するフィンユニット１２の配管用凸部１２１には、媒体排出部１０２と直接連結した主配管１０３が配置されている。また、右端に位置するフィンユニット１２の配管用凸部１２１には、媒体供給部１００と直接連結した主配管１０３が配置されている。
【０１３７】
また、配管用凸部１２１は、ベース部１２０に連設され、表面方向に突出した凸状の部材である。また、配管用凸部１２１は、その内側に配管受け部１２３が形成されている（図１０（ｂ）及び図１１参照）。
【０１３８】
より詳細には、ベース部１２０の一部には、溝部１２４が長手方向に沿って形成され、この溝部１２４の部分から、主配管１０３が配管受け部１２３に向けて入れられている。また、主配管１０３の外周面に接着剤が付けられ、この接着剤を介して、配管受け部１２３とパイプ押さえ１２５の間に、主配管１０３が固定して、取り付けられている（図１１（ａ）及び図１１（ｂ）参照）。
【０１３９】
なお、図１１（ａ）では、主配管１０３を配管受け部１２３に固定する前の状態を示し、図１１（ｂ）では、主配管１０３を配管受け部１２３に固定した状態を示している。
【０１４０】
また、空洞凸部１２２は、ベース部１２０に連設され、表面方向に突出した凸状の部材である。また、空洞凸部１２２は、ベース部１２０を介して、配管用凸部１２１と繋がっている。
【０１４１】
従って、主配管１０３を循環する冷温水の熱は、空洞凸部１２２にも伝わり、空頭凸部１２２は、配管用凸部１２１と共に、放射放熱及び対流放熱による冷暖効果を生じさせる部分となる。
【０１４２】
また、フィンユニット１２が、ベース部１２０と、配管用凸部１２１及び空洞凸部１２２で構成されたことにより、フィン部１１は、放熱部としての実表面積及び見かけの表面積を大きくすることができる。
【０１４３】
また、フィンユニット１２は、排出側ダミーフィン１３と供給側ダミーフィン１４との間に複数設けられている。また、隣接するフィンユニット１２同士のベース部１２０の端部は当接しており（例えば、図１０（ｂ）の符号Ｂで示す箇所）、隣接するフィンユニット１２の間で熱が移動しやすいように構成されている。
【０１４４】
また、排出側ダミーフィン１３は、左右方向において、左側の縦枠カバー２１のすぐ内側（右側）に配置されている。また、排出側ダミーフィン１３は、左右方向において、複数のフィンユニット１２のうち、一番左側に位置するフィンユニット（以下、「左端フィンユニット」と称する。）の左側に配置されている。即ち、排出側ダミーフィン１３は、左側の縦枠カバー２１と、左端フィンユニットの間に配置されている。
【０１４５】
また、排出側ダミーフィン１３は、フィンユニット１２における空洞凸部１２２とこれに対応するベース部１２０から構成される形状と、略同等の形状を有している。なお、排出側ダミーフィン１３は、ベース部に相当する部分のうち、後述する隙間を形成する部分の形状が、フィンユニット１２のベース部１２０の形状とやや異なっている。
【０１４６】
また、排出側ダミーフィン１３のベース部（符号省略）の右側端部と、左端フィンユニットのベース部１２０の左側端部とは、両部分が当接しないように隙間を有して配置されている（図１０（ｂ）中の符号Ａで示す箇所）。
【０１４７】
より詳細には、排出側ダミーフィン１３の右側端部と、左端フィンユニットの左側端部とは、当接することなく、厚み方向に沿って位置をずらして配置され、両部材の隙間の部分には、断熱性の樹脂部材（図示省略）が配置されている。
【０１４８】
このように、左端フィンユニットの左側端部が、排出側ダミーフィン１３の右側端部と当接しない構造とすることで、主配管１０３を循環する冷温水の熱が、左側の縦枠カバー２１の方に伝わりにくいものとなる。この結果、冷房時に、冷気が、排出側ダミーフィン１３を介して縦枠カバー２１に伝わり、縦枠カバー２１や縦枠本体２０が冷えやすくなることが抑止できる。
【０１４９】
また、排出側ダミーフィン１３は、空洞凸部１２２と略同等の形状を有しているため、フィン部１１の全体の外観上、目立ちにくく、放射パネルＡの見栄えを良くすることができる。また、フィンユニット１２には劣るものの、排出側ダミーフィン１３の凸部も、放熱部として伝導放熱、放射放熱及び対流放熱を生じさせることができる。
【０１５０】
また、供給側ダミーフィン１５は、左右方向において、右側の縦枠カバー２１のすぐ内側（左側）に配置されている。また、供給側ダミーフィン１４は、左右方向において、複数のフィンユニット１２のうち、一番右側に位置するフィンユニット（以下、「右端フィンユニット」と称する。）の右側に配置されている。即ち、供給側ダミーフィン１４及び供給側ダミーフィン１５は、右端フィンユニットと、右側の縦枠カバー２１の間に配置されている。
【０１５１】
また、供給側ダミーフィン１４及び供給側ダミーフィン１５は、フィンユニット１２における空洞凸部１２２とこれに対応するベース部１２０から構成される形状と、略同等の形状を有している。なお、供給側ダミーフィン１５は、ベース部に相当する部分のうち、後述する隙間を形成する部分の形状が、フィンユニット１２のベース部１２０の形状とやや異なっている。
【０１５２】
また、右端フィンユニットのベース部１２０の右側端部と、供給側ダミーフィン１４のベース部（符号省略）の左側端部とは、両部分が当接して配置されている（図１０（ｂ）中の符号Ｃで示す箇所）。
【０１５３】
このように、右端フィンユニットの右側端部が、供給側ダミーフィン１４の左側端部と当接した構造とすることで、主配管１０３を循環する冷温水の熱が、供給側ダミーフィン１４にも伝わりやすいものとなる。これにより、供給側ダミーフィン１４の凸部（符号省略）が放射放熱及び対流放熱による冷暖効果を生じさせる部分となる。
【０１５４】
また、供給側ダミーフィン１４のベース部（符号省略）の右側端部と、供給側ダミーフィン１５のベース部（符号省略）の左側端部とは、両部分が当接しないように隙間を有して配置されている（図１０（ｂ）中の符号Ｄで示す箇所）。
【０１５５】
より詳細には、供給側ダミーフィン１４の右側端部と、供給側ダミーフィン１５の左側端部とは、当接することなく、厚み方向に沿って位置をずらして配置され、両部材の隙間の部分には、断熱性の樹脂部材（図示省略）が配置されている。
【０１５６】
このように、供給側ダミーフィン１４の右側端部が、供給側ダミーフィン１５の左側端部と当接しない構造とすることで、主配管１０３を循環する冷温水の熱が、右側の縦枠カバー２１の方に伝わりにくいものとなる。この結果、冷房時に、冷気が、供給側ダミーフィン１５を介して縦枠カバー２１に伝わり、縦枠カバー２１や縦枠本体２０が冷えやすくなることを抑止できる。
【０１５７】
また、冷房時には、媒体供給部１００に供給される水の温度は、媒体排出部１０２から排出される水の温度よりも低いため、媒体供給部１００の主配管１０３が配置された右端フィンユニットと、右側の縦枠カバー２１との間に、２つの供給側ダミーフィン１４及び供給側ダミーフィン１５を配置することで、より一層、右側の縦枠カバー２１や縦枠本体２０が冷えにくくすることができる。
【０１５８】
また、供給側ダミーフィン１４及び供給側ダミーフィン１５は、空洞凸部１２２と略同等の形状を有しているため、フィン部１１の全体の外観上、目立ちにくく、放射パネルＡの見栄えを良くすることができる。また、フィンユニット１２には劣るものの、供給側ダミーフィン１４及び供給側ダミーフィン１５の凸部も、放熱部として伝導放熱、放射放熱及び対流放熱を生じさせることができる。
【０１５９】
ここで、必ずしも、フィン部１１に、排出側ダミーフィン部１３、供給側ダミーフィン１４及び供給側ダミーフィン１５を設ける必要はない。但し、フィンユニット１２から縦枠カバー２１の方へ熱が伝わり、縦枠本体２０及び縦枠カバー２１が冷えやすくなることを抑止する点から、フィン部１１に、排出側ダミーフィン部１３、供給側ダミーフィン１４及び供給側ダミーフィン１５を設けることが好ましい。
【０１６０】
また、フィン部１１において、フィンユニット１２の大きさと数は、放射パネルＡで示す構造の内容に限定されるものではない。放射熱交換の効率を高める点からは、実表面積及び見かけの表面積が大きくなることが好ましいが、放射パネルを設置する空間等に併せて、フィンユニット１２の大きさと数は、適宜設計変更することができる。
【０１６１】
以上のように、本発明を適用した放射パネルＡは、上部ルーバー部３及び下部ルーバー部４の形状、特に、下部ルーバー部４において、ルーバー片４０の形状とすることで、上方から落ちてくる結露水を、結露受け５に集めやすい構造となっている。
【０１６２】
また、放射パネルＡは、結露受け５を表面側に寄せて配置することで、冷房時の冷気を背面側に流し、下部ルーバー部４の全体での冷えやすさを改善した構造となっている。
【０１６３】
また、放射パネルＡでは、その背面側に、フィン背面断熱材９０や断熱テープ９１、及び、下部背面断熱材９２等を配置したことで、片面タイプの放射パネルＡを、室内空間の壁面に当接して配置、又は、壁面のすぐ近くに配置しても、壁面側に冷気が流れにくく、放射パネルＡの設置スペースを小さなものにすることができる。
【０１６４】
以上のように、本発明の放射パネルは、放射冷暖空調に用いる放射パネルにつき、冷暖効果に優れ、放熱部以外での結露が生じにくく、かつ、発生した結露水を充分に処理可能なものとなっている。
【０１６５】
以上、本発明者によってなされた発明を実施の形態に基づき具体的に説明したが、本発明は前記実施の形態に限定されるものではなく、その要旨を逸脱しない範囲で種々変更可能であることはいうまでもない。
【符号の説明】
【０１６６】
Ａ        放射パネル
１        放熱部
１０      配管
１００    媒体供給部
１０１    連結配管
１０２    媒体排出部
１０３    主配管
２        柱構造
２０      縦枠本体
２１      縦枠カバー
２１０    ルーバー取付部
２２０    ルーバー取付部
２３０    結露受け取付部
２４０    切欠き
２２      縦枠補助部材
２３      壁側取付金具
３        上部ルーバー部
３０      ルーバー片
４        下部ルーバー部
４０      ルーバー片
４００    ルーバー片
４１      ルーバー片本体
４２      上部傾斜片
４３      下部傾斜片
４４      裏面傾斜片
４４０    裏面傾斜片
４５      ルーバー片
５        結露受け
５０      水受け
６        上部横桟部
７        下部横桟部
８        上部背面カバー
９０      フィン背面断熱材
９１      断熱テープ
９２      下部背面断熱材
９３      柱状断熱材
９４      断熱材
１１      フィン部
１２      フィンユニット
１２０    ベース部
１２１    配管用凸部
１２２    空洞凸部
１２３    配管受け部
１２４    溝部
１２５    パイプ押さえ
【要約】
【課題】放射冷暖空調に用いる放射パネルにつき、冷暖効果に優れ、放熱部以外での結露が生じにくく、かつ、発生した結露水を充分に処理可能な放射パネルを提供する。
【解決手段】本発明を適用した放射パネルの一例である放射パネルＡは、放熱部１と、２つの柱構造２と、上部ルーバー部３及び下部ルーバー部４を備えている。また、柱構造２は、縦枠本体２０と、縦枠本体２０に着脱可能な縦枠カバー２１から構成されている。また、結露受け５は、配管１０（及びフィン部１１）の下部、かつ、下部ルーバー部４の背面側に配置されている。また、鉛直方向において、結露受け５は、３つのルーバー片４０のうち、２段目のルーバー片４０と対応する高さ位置に配置されている。さらに、厚み方向において、結露受け５は、表面側に寄せた位置、即ち、２段目のルーバー片４０の背面に当接する位置に配置されている。また、放射パネルＡの背面側には、フィン背面断熱材９０と、断熱テープ９１と、下部背面断熱材９２と、柱状断熱材９３が配置されている。【図１】
0006890366.tif 000002
【図２】
0006890366.tif 000003
【図３】
0006890366.tif 000004
【図４】
0006890366.tif 000005
【図５】
0006890366.tif 000006
【図６】
0006890366.tif 000007
【図７】
0006890366.tif 000008
【図８】
0006890366.tif 000009
【図９】
0006890366.tif 000010
【図１０】
0006890366.tif 000011
【図１１】
0006890366.tif 000012
【図１２】
0006890366.tif 000013
【図１３】
0006890366.tif 000014